(57)【要約】【課題】カメラ付きの携帯電子機器において、カメラ部を回転自在に組み込んだり複数設けることなく、簡単な操作により風景撮影及び他人撮影に加え自分撮影を可能とする。【解決手段】操作部１１を有する本体部１と、本体部１の操作部１１を有する面側に並べて重ねられる蓋部２及び連結部３と、本体部１に連結部３の一端側を回動自在に結合する第１ヒンジ部４と、蓋部２に連結部３の他端側を回動自在に結合する第２ヒンジ部５と、本体部１に対し蓋部２を連結部３と反対側端部でスライド自在に結合するスライド機構６とを備えるスライド式携帯電子機器である。そして、本体部１の操作部１１を有する面側に並べて重ねられた状態において、蓋部２の表面側に設けられる表示部２１と、連結部３の表面側に設けられるカメラ部３１とを備える。【選択図】図１
2005143000.tif 000002
【特許請求の範囲】
【請求項１】
操作部を有する本体部と、
本体部の操作部を有する面側に並べて重ねられる蓋部及び連結部と、
本体部に連結部の一端側を回動自在に結合する第１ヒンジ部と、
蓋部に連結部の他端側を回動自在に結合する第２ヒンジ部と、
本体部に対し蓋部を連結部と反対側端部でスライド自在に結合するスライド機構とを備えることを特徴とするスライド式携帯電子機器。
【請求項２】
前記本体部の前記操作部を有する面側に並べて重ねられた状態において、
前記蓋部の表面側に設けられる表示部と、
前記連結部の表面側に設けられるカメラ部とを備えることを特徴とする請求項１に記載のスライド式携帯電子機器。
【請求項３】
前記スライド機構は、前記本体部の側面部に形成されるガイド溝と、前記蓋部に設けられ、前記ガイド溝に係合するスライドピンとからなることを特徴とする請求項１または２に記載のスライド式携帯電子機器。
【発明の詳細な説明】
【技術分野】
【０００１】
本発明は、カメラ部を有するスライド式携帯電子機器に関する。
【背景技術】
【０００２】
キー入力操作を行う操作部を有する本体部を連結部の一端側にヒンジ結合して、表示部を有する蓋部を連結部の他端側にヒンジ結合した折り畳み式携帯電話機において、連結部にカメラ部を設けたものがある（例えば特許文献１参照）。
また、本体部と蓋部を結合するヒンジ部に回転自在にカメラ部を組み込んだものもある（例えば特許文献２参照）。
そして、操作部を有する本体部に対し、表示部を有する蓋部をスライド可能に組み付けたスライド式携帯電話機において、スライド可能な蓋部の表裏面のそれぞれにカメラ部を設けたものもある（例えば特許文献３参照）。
【特許文献１】特開２００２−１９８８４９号公報
【特許文献２】特開２００２−２９５４４５号公報
【特許文献３】特開２００３−１１０６８０号公報
【発明の開示】
【発明が解決しようとする課題】
【０００３】
従来のカメラ付き携帯電話機は、風景撮影及び他人撮影に加え自分撮影を可能とするにはヒンジ部等に、向きを可変としたカメラ部を回転自在に組み込んでおいたり、蓋部等の表裏面にそれぞれ向く複数のカメラ部を組み込んでおく必要があり、構造複雑・部品点数増大の要因となっていた。
また、蓋体の表示部をファインダー（モニター）として見ながらカメラとして使用する面からは、風景撮影及び他人撮影から自分撮影への切り替えまたはその逆に切り替える場合、カメラ部を手で回転させて向きを反対側に変えたり、携帯電話機を裏返しに持ち替えたりなど面倒な操作を伴うものとなっていた。
【０００４】
本発明の課題は、カメラ付きの携帯電子機器において、カメラ部を回転自在に組み込んだり複数設けることなく、簡単な操作により風景撮影及び他人撮影に加え自分撮影を可能とすることである。
【課題を解決するための手段】
【０００５】
以上の課題を解決するため、請求項１に記載の発明は、例えば図１及び図２に示すように、操作部１１を有する本体部１と、本体部１の操作部１１を有する面側に並べて重ねられる蓋部２及び連結部３と、本体部１に連結部３の一端側を回動自在に結合する第１ヒンジ部４と、蓋部２に連結部３の他端側を回動自在に結合する第２ヒンジ部５と、本体部１に対し蓋部２を連結部３と反対側端部でスライド自在に結合するスライド機構６とを備えるスライド式携帯電子機器を特徴とする。
【０００６】
請求項１に記載の発明によれば、本体部の操作部面側に蓋部と並べて重ねられる連結部を、本体部に一端側で第１ヒンジ部により、蓋部に他端側で第２ヒンジ部によりそれぞれ結合して、本体部に対し蓋部を連結部と反対側端部でスライド機構により結合したので、本体部に対し蓋部をスライド操作すると、蓋部に対し回動するとともに本体部に対し回動することにより連結部が、本体部の操作部面側に蓋部と並べて重ねられた位置と、本体部の延長上で反対側に向いた位置とに変化する。
【０００７】
請求項２に記載の発明は、請求項１に記載のスライド式携帯電子機器であって、例えば図１及び図２に示すように、前記本体部１の前記操作部１１を有する面側に並べて重ねられた状態において、前記蓋部２の表面側に設けられる表示部２１と、前記連結部３の表面側に設けられるカメラ部３１とを備えることを特徴とする。
【０００８】
請求項２に記載の発明によれば、請求項１に記載の発明の構成に加え、本体部の操作部面側に並べて重ねられた状態において、蓋部の表面側に表示部を設けて、連結部の表面側にカメラ部を設けることで、本体部に対し蓋部をスライド操作すると、蓋部に対し回動するとともに本体部に対し回動する連結部に設けたカメラ部が、本体部の操作部面側の蓋部に設けた表示部と並んで向いた位置と、本体部の延長上で表示部と反対側に向いた位置とに向きを変える。
このように、連結部に１個のカメラ部を設けるだけで、本体部に対する蓋部の簡単なスライド操作により風景撮影及び他人撮影に加え自分撮影が可能となる。
【０００９】
請求項３に記載の発明は、請求項１または２に記載のスライド式携帯電子機器であって、例えば図１及び図２に示すように、前記スライド機構６は、前記本体部１の側面部に形成されるガイド溝６１と、前記蓋部２に設けられ、前記ガイド溝６１に係合するスライドピン６２とからなることを特徴とする。
【発明の効果】
【００１０】
本発明によれば、本体部に対し蓋部をスライド操作すると、蓋部に対し回動するとともに本体部に対し回動する連結部に設けたカメラ部が、本体部の操作部面側の蓋部に設けた表示部と並んで向いた位置と、本体部の延長上で表示部と反対側に向いた位置とに変化することで、風景撮影及び他人撮影に加え自分撮影が行える。
しかも、連結部に１個のカメラ部を設けた構成で、本体部に対する蓋部の簡単なスライド操作によって、以上を達成できる。
【発明を実施するための最良の形態】
【００１１】
以下、図を参照して本発明を実施するための最良の形態を詳細に説明する。
本発明を適用したスライド式携帯電子機器の一実施形態として携帯電話機を示した図１から図３において、１は本体部、２は蓋部、３は連結部、４は第１ヒンジ部、５は第２ヒンジ部、６はスライド機構である。
本体部１は、図１（ｂ）及び図３に示すように、一面（図示では上面）側にカメラキーやシャッターキー等を含む各種入力キー及びテンキー等による操作部（入力部）１１を備えている。図１（ａ）及び図２（ａ）に示すように、本体部１の操作部１１を有する面上の長手方向に沿って蓋部２及び連結部３が重ねられる。
【００１２】
蓋部２は、本体部１の操作部１１を覆う大きさであり、図１（ａ）及び（ｂ）に示すように、本体部１上に位置する状態で表面（図示では上面）にメイン表示部２１を備えている。
連結部３は、本体部１の操作部１１から一端側を覆う大きさであり、図１（ａ）に示すように、本体部１上に重ねた状態で表面にカメラ部３１を備えている。この連結部３は、一端部で本体部１の操作部１１と反対側端部に対し第１ヒンジ部４により回動自在に結合されるとともに、他端部で蓋部２の一端部に対し第２ヒンジ部５により回動自在に結合されている。
【００１３】
そして、本体部１と蓋部２の両側部には、連結部３と反対側端部で互いをスライド自在に結合するスライド機構６が備えられている。スライド機構６は、本体部１の両側面に形成したガイド溝６１と、蓋部２の両側面に設けたスライドピン６２とからなる。
ガイド溝６１は、本体部１側面の長手方向に沿って延びた直線溝６１ａと、この直線溝６１ａの第１ヒンジ部４の反対側端部に交差して連続する傾斜溝６１ｂを有している。傾斜溝６１ｂは、本体部１の操作部１１側の面に対し第１ヒンジ部４側に所定角度で傾斜するとともに、操作部１１の側部に開放されている。
【００１４】
スライドピン６２は、蓋部２の第２ヒンジ部５と反対側端部に形成されて本体部１の側面にオーバーラップするオーバーラップ部２２の内側面に突出して設けたもので、ガイド溝６１に係合する。即ち、ガイド溝６１の傾斜溝６１ｂにスライドピン６２を挿入して、直線溝６１ａに沿ってスライドピン６２をスライド自在に係合させる。
ここで、図２においては、図１のオーバーラップ部２２が省略されているが、このようにスライドピン６２を露出させても良い。
なお、蓋部２には、図３に示すように、メイン表示部２１と反対側の裏面にサブ表示部２３が備えられている。
【００１５】
図４は実施形態の携帯電話機の通信・画像・制御処理を示したブロック図である。
無線部１２１は、アンテナ（図１から図３の外観には表れない内蔵アンテナ）１０１に接続されて当該アンテナ１０１を駆動制御する回路部であり、外部の通信サービス事業者が採用する無線通信方式（例えばＣＤＭＡ、ＰＤＣ、ＧＳＭ等）に基づく無線信号の変調処理、及び、端末認証処理を含む通信処理を行う。
制御部１２２は、当該携帯電話機の回路全体を制御するとともに、通信サービス事業者を経由したＷＷＷ接続の制御を行うもので、通信データ処理部１２２１、システムＲＯＭ１２２２及びオーディオインターフェース１２２３を有している。通信データ処理部１２２１は、音声復号符号化処理回路、パケットデータ生成回路、及び、パケットデータ復元回路を含み、通信サービス事業者が採用する通信プロトコルに沿ったデータ処理を行う。システムＲＯＭ１２２２には、当該携帯電話機の基幹部分を制御する基本システムが格納される。オーディオインターフェース１２２３は、通信データ処理部１２２１で処理される音声信号の入出力を行うものであって、図１から図３の外観には示されないが、当該携帯電話機に備えられたスピーカ１０１、マイク１０３及び録音用マイク１０４が接続されている。
【００１６】
アドレス・データバス処理部１２３は、制御部１２２と周辺回路（図示破線枠内の回路）とのデータの入出力タイミング等を制御・管理するものである。ＲＡＭ１２４は、電話番号を含むアドレス帳データ、ネットワーク接続に用いられるメールデータ及びインターネットアドレス、及び、撮像デバイス（カメラ部）３１にて撮像された画像データ等の各種データを記憶する。プログラムＲＯＭ１２５は、画像処理プログラムを含む各種アプリケーションプログラム等を格納する。音源ＩＣ１２６は、報知音の波形を記憶するとともに、報知音としてメロディ等を出力するものである。アンプ１２７は音源ＩＣ１２６からの出力を増幅する。図１から図３の外観には示されないが、携帯電話機に備えられた報知用スピーカ１０５は報知音を再生する。
【００１７】
表示モジュール系ドライバ１２８は、メイン表示部２１、サブ表示部２３、図１から図３の外観には示されないが、携帯電話機に備えられた報知用ＬＥＤ１０６、及びフラッシュ用ＬＥＤ１０７を駆動するものである。撮像デバイス（カメラ部）３１は、その撮像レンズ３１１により被写体像が結像されるＣＣＤ等からなり、ＤＳＰ１２９は、この撮像デバイス（カメラ部）３１からの画像信号を処理するものである。
なお、入力部（操作部）１１には、前記ガイド溝６１の両端部において、前記スライドピン６２を検出するマイクロスイッチＳＷ１・ＳＷ２が設けられている。これらマイクロスイッチＳＷ１・ＳＷ２のいずれかがＯＮの時に撮影可能モードになり、このマイクロスイッチＳＷ１・ＳＷ２の状態によって撮影データ及びモニター表示の天地が切換制御される。
【００１８】
以上の通り、実施形態では、本体部１上に蓋部２と並べて重ねられる連結部３を、本体部１に第１ヒンジ部４により、蓋部２に第２ヒンジ部５によりそれぞれ結合して、本体部１に対し蓋部２を連結部３と反対側端部でスライド機構６により結合したスライド式携帯電話機であって、図１（ａ）に示したように、本体部１上に並べて重ねられた状態で、蓋部２上にメイン表示部２１に位置して、連結部３上にカメラ部３１が位置するものとなっている。
これにより、携帯電話機を片手で持った使用者の方をメイン表示部２１及びカメラ部３１が向いた状態になり、即ち、メイン表示部２１をファインダー（モニター）として見ながらカメラ部３１による自分撮影の使用に適した状態になる。また、テレビ電話としての使用にも適した状態になる。
【００１９】
そして、本体部１に対し蓋部２を手でスライド操作すると、ガイド溝６１の直線溝６１ａに沿ってスライドピン６２をスライドすると同時に、蓋部２に対し第２ヒンジ部５で連結部３が回動するとともに本体部１に対し第１ヒンジ部４で連結部３が回動して、図１（ｂ）に示したように、連結部３のカメラ部３１が、本体部１の延長上でメイン表示部２１と反対側に向いた位置に向きを変える。
これにより、メイン表示部２１を見ながらカメラ部３１による風景撮影や他人撮影の使用に適した状態になる。
【００２０】
以上のように、カメラ付き携帯電話機として、カメラ部を回転自在に組み込んだり複数設けることなく、本体部１上に蓋部２と並べて重ねられる連結部３に１個のカメラ部３１を設ける構成によって、本体部１に対する蓋部２の簡単なスライド操作により風景撮影や他人撮影に加え自分撮影やテレビ電話が行えるものとなる。
また、ガイド溝６１の傾斜溝６１ｂからスライドピン６２を抜いて、図３に示したように、本体１の延長上に連結部３及び蓋部２が並んだ状態にすることで、蓋部２の裏面側に設けたサブ表示部２３を使用することも可能である。
【００２１】
なお、以上の実施形態においては、携帯電話機としたが、本発明はこれに限定されるものではなく、ＰＤＡなど他の携帯通信端末機器を含む携帯電子機器であっても良い。
更にスライドスイッチＳＷ１・ＳＷ２は必ずしも必要ではなく、モードスイッチで撮影モードをその都度切替えるようにしても良く、表示の天地制御も図１（ａ）の状態で撮影者が機器本体を上下逆に持ち替えることで対応可能である。
また、スライド機構について実施形態に限らず任意の構成を採用しても良く、その他、具体的な細部構造等についても適宜に変更可能であることは勿論である。
【図面の簡単な説明】
【００２２】
【図１】本発明を適用したスライド式携帯電子機器の一実施形態の構成を示すもので、携帯電話機の本体部上に蓋部を重ねた状態を示した斜視図（ａ）、蓋部をスライドさせた状態を示した斜視図（ｂ）である。
【図２】図１の携帯電話機におけるスライド機構等を示すもので、本体部上に蓋部を重ねた状態を示した側面図（ａ）、蓋部をスライドさせた状態を示した側面図（ｂ）である。
【図３】スライドピンをガイド溝から抜いて本体部及び蓋部と連結部を展開状態として示した平面図である。
【図４】実施形態の携帯電話機の通信・画像・制御処理を示したブロック図である。
【符号の説明】
【００２３】
１  本体部
１１  操作部（入力部）
２  蓋部
２１  メイン表示部
２２  オーバーラップ部
２３  サブ表示部
３  連結部
３１  カメラ部
４  第１ヒンジ部
５  第２ヒンジ部
６  スライド機構
６１  ガイド溝
６２  スライドピン
【図１】
2005143000.tif 000003
【図２】
2005143000.tif 000004
【図３】
2005143000.tif 000005
【図４】
2005143000.tif 000006